(57)【要約】【課題】簡単に着脱できるとともに使い回しが可能な磁束供給装置を提供することを目的とすること。【解決手段】結果した果樹又は農作物の実が懸架されている茎の付け根に装着される磁束供給装置であって、同磁束供給装置は同茎の外周を包囲するアーム２を備え、アーム２は基部１の弾性力によって常時は両端が接近して環状を呈するように構成されている。そして茎に装着する際にはアーム２の両端を外方に拡開させて茎が通過可能な通路を形成し、その通路から茎に通すようにする。左右のアーム２のケース７内には茎に磁場の影響を与え得る磁石が封入されているため装着された状態で茎に磁束が交差することとなる。【選択図】      図３
2005229813.tif 000002
【特許請求の範囲】
【請求項１】
結果した果樹又は農作物の実が懸架されている茎の付け根に装着される磁束供給装置であって、同磁束供給装置は同茎の外周を包囲する包囲部を備え、同包囲部を常時は両端が当接あるいは接近して環状を呈するように構成するとともに同両端を外方に拡開させることで前記茎が通過可能な通路を形成するようにし、同包囲部には同茎に磁場の影響を与え得る磁石を併設したことを特徴とする磁束供給装置。
【請求項２】
結果した果樹又は農作物の実が懸架されている茎の付け根に装着される磁束供給装置であって、同磁束供給装置は同茎の外周を挟持する一対の挟持部を備え、同挟持部は常時は閉塞方向に付勢されるとともに付勢力に抗してあるいは付勢力を解除して外方に拡開が可能とされ、同包囲部には同茎に磁場の影響を与え得る磁石を併設したことを特徴とする磁束供給装置。
【発明の詳細な説明】
【技術分野】
【０００１】
本発明は、結果した果樹又は農作物の実の成長や食味を向上させるために使用する磁束供給装置に関するものである。
【背景技術】
【０００２】
果実やナス、トマト、スイカ、ウリ等の実野菜（以下果実等とする）が直接懸架されている茎は一種の「へその緒」のようなものであり、これら果実等はすべてこの茎を通じて栄養分や水分が供給されることとなる。このへその緒に当たる茎は果実等のように肥大するわけではなく栄養分や水分は細く狭い部位を経由して果実等に供給されることとなる。そのため、この茎を速やかに養分等が通過できるならばより多くの栄養分等が果実等に行き渡り食味の優れた果実等が収穫できるはずである。
このようなことから近年磁石をこの茎に貼付することで茎に直交する磁束を与え、もって極性のある養分等をより速やかに茎を通過させ得ることが実験的に判明した。具体的には果実ではそのような処理をしなかった通常の果実に比べてより大きく成長し、更に糖度も増すという結果が得られている。
【発明の開示】
【発明が解決しようとする課題】
【０００３】
ところが、磁石をテープ等で単に貼付するだけでは風雨や散水で剥落しやすいこと、果実等を収穫した後で再度使用するという使い回しが不便であることからこの磁石を茎に装着する技術の改良が求められていた。
本発明は上記課題を解消するためになされたものであり、その目的は簡単に着脱できるとともに使い回しが可能な磁束供給装置を提供することを目的とすることにある。
【課題を解決するための手段】
【０００４】
上記目的を達成するために、請求項１に記載の発明では、結果した果樹又は農作物の実が懸架されている茎の付け根に装着される磁束供給装置であって、同磁束供給装置は同茎の外周を包囲する包囲部を備え、同包囲部を常時は両端が当接あるいは接近して環状を呈するように構成するとともに同両端を外方に拡開させることで前記茎が通過可能な通路を形成するようにし、併せて同包囲部に同茎に磁場の影響を与え得る磁石を併設したことをその要旨とする。
また、請求項２に記載の発明では、結果した果樹又は農作物の実が懸架されている茎の付け根に装着される磁束供給装置であって、同磁束供給装置は同茎の外周を挟持する一対の挟持部を備え、同挟持部は常時は閉塞方向に付勢されるとともに付勢力に抗してあるいは付勢力を解除して外方に拡開が可能とされ、同包囲部には同茎に磁場の影響を与え得る磁石を併設したことをその要旨とする。
【０００５】
上記請求項１のような構成では、磁束供給装置は装着状態において包囲部が結果した果樹又は農作物の実が懸架されている茎を包囲した状態でその実の上に配置されるため茎から脱落することがない。そして包囲部に併設された磁石の磁束が茎と交差することによって極性のある養分等をより速やかに茎を通過させることが可能となる。このような包囲部は外方に拡開させられた後、弾性作用によって自動的に原位置（両端が当接あるいは接近して環状を呈した状態）に復帰するように構成されていることが好ましい。包囲部は一体成形された可撓性プラスチックから構成されることが好ましい。
包囲部に併設される磁石の個数は特に限定されることはない。しかし、よりスムーズに磁束を茎に交差させるには磁石を茎を挟んで対向する位置に配置し、なおかつ磁束を打ち消すことのないように対向する磁石の相向き合った面の極はそれぞれ異なるようにすることが好ましい。
また、包囲した茎を無用に圧迫しないようにスポンジのようなクッション部材を包囲部の内周面に配設することが好ましい。
請求項２のような構成では、磁束供給装置は装着状態において挟持部が結果した果樹又は農作物の実が懸架されている茎を挟持した状態でその実の上に配置されるため茎から脱落することがない。挟持部は常時は閉塞方向に付勢されており付勢力に抗してあるいは付勢力を解除することで外方に拡開させて茎に対して着脱できる。そして挟持部に併設された磁石の磁束が茎と交差することによって極性のある養分等をより速やかに茎を通過させることが可能となる。挟持部は一体成形された可撓性プラスチックから構成されることが好ましい。挟持部に併設される磁石の個数は特に限定されることはない。しかし、よりスムーズに磁束を茎に交差させるには磁石を茎を挟んで対向する位置に配置し、なおかつ磁束を打ち消すことのないように対向する磁石の相向き合った面の極はそれぞれ異なるようにすることが好ましい。また、挟持した茎を無用に圧迫しないようにスポンジのようなクッション部材を挟持部の内周面に配設することが好ましい。
【発明の効果】
【０００６】
上記各請求項に記載の発明によれば、ワンタッチで果樹等の実が懸架されている茎に磁束供給装置を装着でき、風雨や散水によって脱落するようなことはなく、なおかつ実を収穫した後でもこれを再使用することが可能である。
【発明を実施するための最良の形態】
【０００７】
以下、本発明の実施の形態について図面に基づいて説明する。以下の説明において左右とは図１及び図２における左右方向をいうものとする。また、前後とは図３における左右方向をいうものとする。
（実施の形態１）
図１〜図３に示すように、磁束供給装置はリング状に膨出した基部１と同基部１の前端から前方に延出された包囲部又は挟持部としての左右一対のアーム２を備えている。基部１及びアーム２は上下方向に一定の巾を有している。基部１及びアーム２は一体成形によって製造された可撓性のあるプラスチック製とされている。アーム２の先端寄りはそれぞれ外方に屈曲された指掛け部３とされ、同指掛け部３はその先端寄りほど離間されている。両アーム２の相対抗する内側面４の中間位置にはそれぞれ半円形状の凹部５が形成されている。図１及び図３に示すように、左右の凹部５が突き合わされた状態で内部に略円形の断面を有する円筒形状の空間が形成される。
両アーム２の前記凹部５のちょうど裏面に当たる外側面６位置には外方に向かって膨出されたケース７が形成され、同ケース７内には磁石８Ａ，８Ｂが封入されている。左右の磁石８Ａ，８Ｂは凹部５を間に介して直列状に配置されている。本実施の形態において磁石８Ａ，８Ｂの極の向きは図１における左側がＮ極とされ、右側がＳ極とされている。つまり、本実施の形態では左右の磁石８Ａ，８Ｂの磁束が互いに打ち消されずに、最も効率的に凹部５を横断するようになっている。磁束の向きはアーム２の延出方向に対して直交する。
【０００８】
次にこのように構成された実施の形態１の磁束供給装置の使用方法を例えば図４に示すメロンに装着する場合について説明する。
まず、図１のように閉塞状態にあるアーム２を指掛け部３に指を掛けて図２に示すように左右に拡開させる。アーム２は常時は閉じているため、この拡開動作によって基部１が拡開方向に変形させられ復元力に基づく閉じる方向への付勢力が発生する。このアーム２を拡開させた状態で図４に示すようにメロンＭが懸架されている茎Ｔの付け根に装着する。磁束供給装置をちょうど茎Ｔが左右の凹部５内に納まる位置に配置して指を離す。するとアーム２は基部１の復元力によって図１の状態に戻り、茎Ｔが左右の凹部５によって圧迫されることなく若干の隙間をもって包囲される。これによって磁束供給装置の装着が完了する。このように装着された磁束供給装置は図５に示すように図上右側の磁石８Ｂから左側の磁石８Ａに向かって磁束が茎Ｔと交差するように磁束が流れることとなる。
【０００９】
このように構成することで本実施の形態では次のような効果が奏される。
（１）上記実施の形態１の磁束供給装置では茎Ｔの付け根への着脱が容易であり、磁石８Ａ，８Ｂは完全に封入されているため散水によって錆びたりすることもない。
（２）メロンＭを収穫した後で、他の実に対しても使い回しが可能である。
（３）一体成形で構成したアーム２及び基部１それ自体で弾性があってアーム２を拡開した際に自動的に原位置（アーム２の閉塞位置）に復帰するため、別途復帰手段を設ける必要がない。
（４）茎Ｔは左右の凹部５によって構成される円筒状の包囲壁によって包囲されるため磁束供給装置がぐらつくことなく安定性がよい。尚、左右の凹部５が形成されていない場合には茎Ｔは包囲ではなくアーム２によって挟持されることとなる。
【００１０】
（実施の形態２）
図６に基づいて実施の形態２を説明する。本実施の形態２では実施の形態１と同様の構成については図面に同じ番号を付すことで詳しい説明は省略する。
実施の形態２の磁束供給装置はアーチ状に延出されたアーム１１とアーム１１の基部から延出されたコイルバネ１２を備えている。アーム１１の先端とコイルバネ１２の先端は近接している。上記実施の形態１では左右一対の磁石８Ａ，８Ｂを対向配置させたが、このようにいずれか片方の磁石１３だけでも構わない
このような構成の磁束供給装置をメロンＭが懸架されている茎Ｔの付け根に装着する際にはコイルバネ１２を撓ませ茎Ｔを通過させる。コイルバネ１２は手を離せば自動的に原位置に復帰する。茎Ｔには磁石１３から磁束が供給される。
【００１１】
（実施の形態３）
図７に基づいて実施の形態３を説明する。本実施の形態３では実施の形態１と同様の構成については図面に同じ番号を付すことで詳しい説明は省略する。
実施の形態３では左右の凹部５の内周面にクッション部材としてのスポンジ体１５が配設されている。このような構成では包囲した茎Ｔに対する押圧力を軽減することが可能である。
（実施の形態４）
図８に基づいて実施の形態４を説明する。本実施の形態４では実施の形態１と同様の構成については図面に同じ番号を付すことで詳しい説明は省略する。
上記実施の形態１では左右一対の磁石８Ａ，８Ｂを対向配置させたが、このようにいずれか片方の磁石１６だけでも構わない。茎Ｔには磁石１６から磁束が供給される。
（実施の形態５）
図９及び図１０に基づいて実施の形態５を説明する。本実施の形態５では実施の形態１と同様の構成については図面に同じ番号を付すことで詳しい説明は省略する。
実施の形態５では茎Ｔを左右から挟持する挟持部としての左右のアーム１７を備えている。図上左方のアーム１７の外側面１８には磁石が封入されたケース１９が配設されている。両アーム１７の内側面２０にはクッション部材としてのスポンジ体２１が配設されている。両アーム１７はワイヤバネ２３によって常時閉塞方向に付勢されている。
このようにあたかも洗濯バサミのようにワイヤバネ２３によって常時閉塞方向に付勢し、着脱時に図１０のように拡開させて使用するようにしてもよい。
尚、この発明は、次のように変更して具体化することも可能である。
・材質はプラスチックに限定されるものではない。
・磁石の形状や大きさは適宜変更可能である。
その他本発明の趣旨を逸脱しない範囲で変更した態様で実施することは事由である。
【００１２】
本発明の目的を達成するために上記実施の形態から把握できるその他の技術的思想について下記に付記として説明する。
（１）  前記包囲部は外方に拡開させられた後、弾性作用によって自動的に原位置に復帰することを特徴とする請求項１に記載の磁束供給装置。
（２）  前記包囲部は一体成形された可撓性プラスチックから構成され、同包囲部は外方に拡開させられた後、その素材性に基づいて自身の弾性で原位置に復帰することを特徴とする付記１に記載の磁束供給装置。
（３）  前記包囲部には対向する位置にそれぞれ別個に磁石が配置され、同対向する磁石の相向き合った面の極はそれぞれ異なることを特徴とする請求項１若しくは付記（１）又は（２）のいずれかに記載の磁束供給装置。
（４）  前記挟持部は一体成形された可撓性プラスチックから構成され、同挟持部は外方に拡開させられた後、その素材性に基づいて自身の弾性で原位置に復帰することを特徴とする請求項２に記載の磁束供給装置。
（５）  前記磁石はプラスチック内に封入されていることを特徴とする付記２又は４に記載の磁束供給装置。
（６）  前記包囲部の内周面には前記茎を保護するクッション部材が配設されていることを特徴とする請求項１又は２若しくは付記１〜５のいずれかに記載の磁束供給装置。
【図面の簡単な説明】
【００１３】
【図１】実施の形態１の磁束供給装置の平面図。
【図２】同じ磁束供給装置を拡開させた状態の平面図。
【図３】同じ磁束供給装置の斜視図。
【図４】同じ磁束供給装置を装着した状態を説明する説明図。
【図５】磁束供給装置の磁束の流れを説明する説明図。
【図６】実施の形態２の磁束供給装置の平面図。
【図７】実施の形態３の磁束供給装置の平面図。
【図８】実施の形態４の磁束供給装置の平面図。
【図９】実施の形態５の磁束供給装置の平面図。
【図１０】実施の形態５の磁束供給装置を拡開させた状態の平面図。
【符号の説明】
【００１４】
２、１１，１７…包囲部又は挟持部としてのアーム、８Ａ，８Ｂ…磁石、Ｍ…実としてのメロン、Ｔ…茎。
【図１】
2005229813.tif 000003
【図２】
2005229813.tif 000004
【図３】
2005229813.tif 000005
【図４】
2005229813.tif 000006
【図５】
2005229813.tif 000007
【図６】
2005229813.tif 000008
【図７】
2005229813.tif 000009
【図８】
2005229813.tif 000010
【図９】
2005229813.tif 000011
【図１０】
2005229813.tif 000012